【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
流体および／または固形物を搬送するための容器であって、
含浸液体と、複数のマイクロスケールおよび／またはナノスケールの固体フィーチャであってそれらの間に該含浸液体を安定して含有するように十分に近接して間隔を空けられた固体フィーチャと、を含む内側表面
を備え、
該含浸液体は、該固体フィーチャの間の空間を満たし、
該内側表面は、該固体フィーチャの間に該含浸液体を安定して含有しており、
該含浸液体は、該内側表面の配向とは無関係に、かつ該容器内を通り、入り、または出て行く流体および／または固形物の流動、通過、または除去とは無関係に、該複数の固体フィーチャの間の所定位置に実質的に保持され、
該内側表面は、該内側表面に高滑り境界条件をもたらすように構成され、それによって、該容器内を通り、入り、または出て行く流体および／または固形物の流動、通過、または除去が容易になり、
該内側表面は、該含浸液体によって部分的に浸漬され、
ここで、０＜φ≦０．２５であり、式中、φは、平衡時の非浸漬固体および浸漬固体に対応する液体含浸表面のトータルの投影表面積に対する、平衡時の非浸漬固体に対応する該内側表面の投影表面積の代表的分率である、
容器。
【請求項２】
前記固体フィーチャが、１ミクロンから５０ミクロンの範囲の平均寸法を有する粒子を含み；および／または
前記粒子は、隣接する粒子の間または粒子群の間に、１ミクロンから３０ミクロンの平均間隔で配置され；および／または
前記粒子は噴霧配置される、
請求項１に記載の容器。
【請求項３】
前記含浸液体が、オレイン酸エチル、エステル、脂肪酸、脂肪酸誘導体、植物油（例えば、オリーブ油、ライトオリーブ油、トウモロコシ油、大豆油、菜種油、亜麻仁油（ｌｉｎｓｅｅｄ  ｏｉｌ）、ブドウ種子油、亜麻仁油（ｆｌａｘｓｅｅｄ  ｏｉｌ）、キャノーラ油、落花生油、紅花油、ヒマワリ油）、テルペン、イソチオシアン酸フェニル（フェニルカラシ油）、ブロモベンゼン、ヨードベンゼン、ｏ−ブロモトルエン、α−クロロナフタレン、α−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、スタノラックス（ｓｔａｎｏｌａｘ）、Ｓｑｕｉｂｂの流動パラフィン、ｐ−ブロモトルエン、モノブロモベンゼン、パークロロエチレン、二硫化炭素、フェニルカラシ油、モノヨードベンゼン、α−モノクロロ−ナフタレン、四臭化アセチレン、アニリン、ブチルアルコール、イソアミルアルコール、ｎ−ヘプチルアルコール、クレゾール、オレイン酸、リノール酸およびフタル酸アミルからなる群から選択される少なくとも１種の要素を含む、請求項１および２のいずれか一項に記載の容器。
【請求項４】
前記固体フィーチャが、蝋、カルナウバ蝋、蜜蝋、カンデリラ蝋、ゼイン（トウモロコシ由来）、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、不溶性繊維、精製された木質セルロース、微結晶質セルロース、カオリナイト（粘土鉱物）、木蝋（Ｊａｐａｎ  ｗａｘ）、パルプ、酸化第二鉄、酸化鉄、ギ酸ナトリウム、オレイン酸ナトリウム、パルミチン酸ナトリウム、硫酸ナトリウム、金属、ポリマー、セラミック固体、フッ素化固体、金属間固体、および、複合固体  ＰＤＭＳ、環状オレフィンポリマー、ポリプロピレン、ＰＶＣ、ＰＥＴ、ＨＤＰＥ、ポリイミド、ＰＭＭＡ、ガラス、Ｐｅｒｓｐｅｘ、Ｐｌｅｘｉｇｌａｓｓ、Ｐｏｌｙｍａｃｏｎからなる群から選択される１つまたは複数の要素を含む、請求項１〜３のいずれか一項に記載の容器。
【請求項５】
前記パルプが植物の茎のスポンジ状部分である、請求項４に記載の容器。
【請求項６】
前記含浸液体が、該含浸液体の蒸発を防止しまたは低減させる添加剤を含む、請求項１〜５のいずれかに記載の容器。
【請求項７】
前記容器が、固定具、義歯、保定器、歯列矯正具、ブリッジ、インプラント、歯型、プロテーゼ、人工臓器、人工動脈、ステント、注射器、内層、ＩＶチューブ、ＩＶバッグ、結腸ろうバッグ、手術器具、包帯、および血液ポンプからなる群から選択される要素である、請求項１〜６のいずれかに記載の容器。
【請求項８】
前記内層が、プラーク形成を防止するための動脈壁の内層である、請求項７に記載の容器。
【請求項９】
前記容器が、血液ポンプまたはその部分であり、前記表面は、該ポンプによってまたは該ポンプ内を経て送液される血液またはその他の生物流体中の細胞および／またはその他の生物学的構造に対する損傷を防止するために、剪断力の低減をもたらすよう構成される、請求項１〜８のいずれかに記載の容器。
【請求項１０】
前記容器が、丸剤、カプセル剤、錠剤、ゲルキャップ、および坐剤からなる群から選択される要素である、請求項１〜９のいずれか一項に記載の容器。
【請求項１１】
前記カプセル剤が、シングルピースまたはツーピースである、請求項１０に記載の容器。
【請求項１２】
前記容器が、マイクロピペット、生体材料の小体積容器、ヒト血清容器、ピペット、ピペットチップ、マイクロ流体デバイス、透析機、チューブ、内視鏡、挿管デバイス、注射器、ステント、カテーテル、および気管切開チューブからなる群から選択される要素である、請求項１〜１１のいずれか一項に記載の容器。
【請求項１３】
前記容器が、手袋、包帯、接着ストリップ、薬物放出パッチ、およびコンドームからなる群から選択される要素である、請求項１〜１２のいずれか一項に記載の容器。
【請求項１４】
前記含浸液体が、
ａ）薬物を含む；および／または
ｂ）硬化性であり、硬化によって固体に変換することができる、
請求項１〜１３のいずれか一項に記載の容器。
【請求項１５】
前記薬物が、防腐剤および／または抗菌剤、または、生物活性成分である、請求項１４に記載の容器。
【請求項１６】
前記硬化が熱への曝露である、請求項１４に記載の容器。
【請求項１７】
Ｓｏｗ（ａ）＜０であり、式中、Ｓｏｗ（ａ）は、γｗａ−γｗｏ−γｏａと定義される拡張係数であり、ここで、γは、下付き文字ｗ、ａ、およびｏにより指定される２相間の界面張力であり、ｗは水であり、ａは空気であり、ｏは前記含浸液体である、
請求項１〜１６のいずれか一項に記載の容器。
【請求項１８】
０．０１＜φ≦０．１０である、請求項１に記載の容器。
【請求項１９】
Ｓｏｗ（ａ）＜０である、請求項１７に記載の容器。
【請求項２０】
以下：
（ｉ）  θｏｓ（ｗ），ｒｅｃｅｄｉｎｇ＝０と、
（ｉｉ）θｏｓ（ａ），ｒｅｃｅｄｉｎｇ＝０かつθｏｓ（ｗ），ｒｅｃｅｄｉｎｇ＝０と
の一方または両方が適用される、請求項１〜１６のいずれか一項に記載の容器であって、
式中、θｏｓ（ｗ），ｒｅｃｅｄｉｎｇは、水（下付き文字「ｗ」）の存在下での前記表面（下付き文字「ｓ」）上の前記含浸液体（下付き文字「ｏ」）の後退接触角であり、θｏｓ（ａ），ｒｅｃｅｄｉｎｇは、空気（下付き文字「ａ」）の存在下での前記表面（下付き文字「ｓ」）上の前記含浸液体（下付き文字「ｏ」）の後退接触角である、容器。
【請求項２１】
前記含浸液体が油である、請求項２０に記載の容器。
【請求項２２】
血液に接触している表面での血栓症を予防する、請求項１に記載の容器。
【請求項２３】
汚れ止めおよび／または自己清浄性の表面を提供する、請求項１に記載の容器。
【請求項２４】
カテーテルである、請求項１２に記載の容器。
【請求項２５】
軟膏、ローション、クリームまたはゲルを含有するように構成される、請求項１〜２４のいずれか一項に記載の容器。
【請求項２６】
マニキュア液、シャンプー、コンディショナー、ボディウォッシュ、ヘアジェル、フェイスマスクまたは練り歯磨きを含有するように構成される、請求項１〜２５のいずれか一項に記載の容器。